(57)【要約】【課題】  天候に左右されない効率的な排砂を低コストで行う。【解決手段】  ダム湖等の貯水池１に堆積した堆積土砂８を排砂する排砂方法において、ダム堤体２近傍の水底５にシート状部材６を敷設すると共に、そのシート状部材６に土砂移送管７をシート状部材６の裏面側に臨んで開口するように接続し、他方、貯水池１の任意の場所の堆積土砂８を浚渫して、その堆積土砂８を上記土砂移送管７を通して上記シート状部材６の裏面側に集積させておき、貯水池１の貯水の放流時に集積した堆積土砂８を上記土砂移送管７を通してダム堤体２の下流側に排出する。【選択図】  図１
2005226403.tif 000002
【特許請求の範囲】
【請求項１】
ダム湖等の貯水池に堆積した堆積土砂を排砂する排砂方法において、ダム堤体近傍の水底にシート状部材を敷設すると共に、そのシート状部材に土砂移送管をシート状部材の裏面側に臨んで開口するように接続し、他方、貯水池の任意の場所の堆積土砂を浚渫して、その堆積土砂を上記土砂移送管を通して上記シート状部材の裏面側に集積させておき、貯水池の貯水の放流時に集積した堆積土砂を上記土砂移送管を通してダム堤体の下流側に排出することを特徴とする貯水池の排砂方法。
【請求項２】
上記浚渫された堆積土砂を上記ダム堤体近傍で集積する集積場所が、上記ダム堤体の越流頂から所定距離離れた位置に設けられた請求項１記載の貯水池の排砂方法。
【請求項３】
ダム湖等の貯水池に堆積した堆積土砂を排砂する排砂方法において、ダム堤体近傍の水底にシート状部材を敷設すると共に、そのシート状部材に土砂移送管をシート状部材の裏面側に臨んで開口するように接続し、他方、貯水池の任意の場所の堆積土砂を浚渫して、その堆積土砂を上記土砂移送管を通して上記シート状部材の裏面側に集積させておき、貯水池の貯水の放流時に集積した堆積土砂をダム堤体を貫通して開閉自在に形成された排砂ゲートよりダム堤体の下流側に排出することを特徴とする貯水池の排砂方法。
【請求項４】
上記浚渫された堆積土砂を上記ダム堤体近傍で集積する集積場所が、上記排砂ゲートの取込口の近傍に設けられた請求項３記載の貯水池の排砂方法。
【請求項５】
ダム湖等の貯水池に堆積した堆積土砂を排砂する排砂装置において、ダム堤体近傍の水底に土砂移送管が裏面部に臨んで開口するように接続されたシート状部材を敷設し、上記土砂移送管を通して上記シート状部材の裏面部に貯水池の任意の場所より浚渫された堆積土砂を集積すると共に、必要に応じて集積した堆積土砂をダム堤体の下流側に排出するように構成したことを特徴とする貯水池の排砂装置。
【請求項６】
上記土砂移送管が、堆積土砂の浚渫を行う浚渫装置側より延びる上流側土砂移送管と、上記ダム堤体の下流側まで延出する下流側土砂移送管とに切替自在に接続され、上記土砂移送管と上記下流側土砂移送管を通して上記シート状部材の裏面部に集積した堆積土砂をダム堤体の下流側に排出する請求項５記載の貯水池の排砂装置。
【請求項７】
上記土砂移送管が、上記シート状部材の裏面部の堆積土砂の集積量に応じて昇降するように構成された請求項５または６記載の貯水池の排砂装置。
【発明の詳細な説明】
【技術分野】
【０００１】
本発明は、ダム湖等の貯水池に堆積した堆積土砂を浚渫してダム堤体の下流側に排出する貯水池の排砂方法及び排砂装置に関するものである。
【背景技術】
【０００２】
近年、ダムが予想を上回る速さで土砂に埋まり、総貯水量１００万立方メートル以上の中規模ダム７８２ダムのうち、４４ダムはすでに貯水池の半分以上が堆積土砂によって埋まっていることが、国土交通省の調査によって報告されている。
【０００３】
そのため、ダム湖等の貯水池の堆積土砂を排砂して、ダム建設時の貯水量に回復させることが重要な課題となっている。
【０００４】
そこで、従来では、台船に設けられたグラブバケットや吸引管による浚渫等、種々の排砂方法（例えば、特許文献１参照）が採用されていた。
【０００５】
上述の排砂方法においては、貯水池の水底から浚渫された堆積土砂は、通常、湖岸に設けた土砂集積スペースに一旦集積され、所定期間放置して乾燥させた後に、ダンプ等にて搬送されるようになっている。
【０００６】
【特許文献１】特開平８−１３４５３号公報
【発明の開示】
【発明が解決しようとする課題】
【０００７】
しかしながら、上述のように湖岸に堆積土砂を集積した後、ダンプ等にて搬送する排砂方法では、搬送効率が悪く搬送費用が高い上に、ダンプ用の道路を整備しなければならず、多大な製造コストがかかってしまう。また、景観や環境を悪化させるという問題もあった。
【０００８】
そこで、この問題を解決するために、堆積土砂をダム堤体の下流側へ直接排出することが考えられる。しかし、この方法では、ダンプ用の道路の整備等は行わなくてもよいが、下流側の河川環境保全上、堆積土砂を排出することが制限され、排砂効率が大幅に低下してしまうといった問題は残ってしまう。
【０００９】
すなわち、ダムの増水時以外に堆積土砂を排出すると、下流側の河川に濁流が発生するため、雨天等によるダムの増水時にしか浚渫を行うことができず、稼働日が天候に左右され、効率的な排砂が行えない。
【００１０】
また、ダムの増水時に浚渫作業を行う際には、貯水池に水流が発生するため、排砂管を備えた台船や浚渫船を所定の位置に停泊させるのが困難であると共に揺れが発生するため、浚渫効率がさらに低下してしまう。
【００１１】
増水時以外にも浚渫するためには、堤外に堆積土砂の浄化施設を設けて、貯水池の水と同程度に浄化して流せばよいが、これでは、浄化施設の製造に多大な費用を要してしまう。
【００１２】
そこで、本発明は上記問題を解決すべく創案されたものであり、その目的は、
天候に左右されない効率的な排砂を低コストで行うことができる貯水池の排砂方法及び排砂装置を提供することにある。
【課題を解決するための手段】
【００１３】
上記目的を達成するために、請求項１の発明は、ダム湖等の貯水池に堆積した堆積土砂を排砂する排砂方法において、ダム堤体近傍の水底にシート状部材を敷設すると共に、そのシート状部材に土砂移送管をシート状部材の裏面側に臨んで開口するように接続し、他方、貯水池の任意の場所の堆積土砂を浚渫して、その堆積土砂を上記土砂移送管を通して上記シート状部材の裏面側に集積させておき、貯水池の貯水の放流時に集積した堆積土砂を上記土砂移送管を通してダム堤体の下流側に排出する貯水池の排砂方法である。
【００１４】
請求項２の発明は、上記浚渫された堆積土砂を上記ダム堤体近傍で集積する集積場所が、上記ダム堤体の越流頂から所定距離離れた位置に設けられた請求項１記載の貯水池の排砂方法である。
【００１５】
請求項３の発明は、ダム湖等の貯水池に堆積した堆積土砂を排砂する排砂方法において、ダム堤体近傍の水底にシート状部材を敷設すると共に、そのシート状部材に土砂移送管をシート状部材の裏面側に臨んで開口するように接続し、他方、貯水池の任意の場所の堆積土砂を浚渫して、その堆積土砂を上記土砂移送管を通して上記シート状部材の裏面側に集積させておき、貯水池の貯水の放流時に集積した堆積土砂をダム堤体を貫通して開閉自在に形成された排砂ゲートよりダム堤体の下流側に排出する貯水池の排砂方法である。
【００１６】
請求項４の発明は、上記浚渫された堆積土砂を上記ダム堤体近傍で集積する集積場所が、上記排砂ゲートの取込口の近傍に設けられた請求項３記載の貯水池の排砂方法である。
【００１７】
請求項５の発明は、ダム湖等の貯水池に堆積した堆積土砂を排砂する排砂装置において、ダム堤体近傍の水底に土砂移送管が裏面部に臨んで開口するように接続されたシート状部材を敷設し、上記土砂移送管を通して上記シート状部材の裏面部に貯水池の任意の場所より浚渫された堆積土砂を集積すると共に、必要に応じて集積した堆積土砂をダム堤体の下流側に排出するように構成した貯水池の排砂装置である。
【００１８】
請求項６の発明は、上記土砂移送管が、堆積土砂の浚渫を行う浚渫装置側より延びる上流側土砂移送管と、上記ダム堤体の下流側まで延出する下流側土砂移送管とに切替自在に接続され、上記土砂移送管と上記下流側土砂移送管を通して上記シート状部材の裏面部に集積した堆積土砂をダム堤体の下流側に排出する請求項５記載の貯水池の排砂装置である。
【００１９】
請求項７の発明は、上記土砂移送管が、上記シート状部材の裏面部の堆積土砂の集積量に応じて昇降するように構成された請求項５または６記載の貯水池の排砂装置である。
【発明の効果】
【００２０】
本発明によれば、天候に左右されない効率的な排砂を低コストで行うことができるといった優れた効果を発揮する。
【発明を実施するための最良の形態】
【００２１】
以下、本発明を実施するための最良の形態を添付図面に基づいて詳述する。
【００２２】
図１は本発明に係る貯水池の排砂装置の好適な第一の実施の形態を示した全体断面図、図２は本発明に係る貯水池の排砂装置の配置状態を示した貯水池の平面図である。
【００２３】
図２に示すように、ダム湖等の貯水池１は、河川をダム堤体２により堰き止めて形成されている。
【００２４】
ダム堤体２の幅方向略中間部には、雨天等による貯水の増水時に増加した貯水をダム堤体２の下流側に放流するための越流頂３が複数形成されている。越流頂３は、ダム堤体２の頂部より所定高さ低く形成されており、その上部には、排水ゲート４が開閉自在に設けられており、増水時に、排水ゲート４を開くことによって、貯水が越流頂３の上部を越流してダム堤体２の下流側に放水されるようになっている。
【００２５】
図１及び図２に示すように、本実施の形態に係る貯水池の排砂装置は、ダム湖等の貯水池１に堆積した堆積土砂８を排砂するものであって、ダム堤体２近傍の水底５に土砂移送管７が裏面部に臨んで開口するように接続されたシート状部材６を敷設し、土砂移送管７を通してシート状部材６の裏面部に貯水池１の任意の場所より浚渫された堆積土砂８を集積すると共に、必要に応じて集積した堆積土砂８をダム堤体２の下流側に排出するように構成したことを特徴とする。
【００２６】
シート状部材６は、十分な敷設面積を有しており、ダム堤体２近傍の水底５に敷設されている。シート状部材６は、ダム堤体の越流頂３から所定距離離れた位置に敷設されている。このシート状部材６を敷設する場所は、図２中、ハッチングにて示すように、ダム堤体２の幅方向両側部に位置し、増水時でも、越流頂３から下流側に流れる放流水流の影響を受けない位置となっている。このハッチングで示した部分が、浚渫された堆積土砂８を集積する集積場所１０となる。集積場所１０は、ある程度深く、湖岸に近い場所が好ましい。
【００２７】
シート状部材６は、不透水性或いは難透水性の布、樹脂或いはゴム等によって形成され、集積される堆積土砂８の表面に追従できる柔軟性と、水中で浮かずに沈む性質とを有している。シート状部材６は、上記布、樹脂或いはゴム等に、メッシュ状の補強材を設けて形成したものであってもよい。
【００２８】
シート状部材６の形状は、円形或いは多角形状とし、その直径は、１００ｍ程度に形成するのがよいが、数１０〜百数十ｍの範囲のものが使用できる。なお、シート状部材６の形状は、円形或いは多角形状に限られるものではなく、楕円形等のように中心から各周縁部までの距離が大きく異ならない形状であればよい。
【００２９】
シート状部材６の敷設は、具体的には、まず、シート状部材６を、貯水池１上に浮かべた台船９に畳まれた状態で載せ、これを畳んだ状態のままで水底の目標位置上部より沈め、水中で広げて敷設する。なお、シート状部材６を水面近くで広げて、その状態で徐々に沈めるようにしてもよい。
【００３０】
シート状部材６の周縁部１１には、当該シート状部材６の水流等による浮き上がりを防止するためのウエイト１２が取り付けられている。ウエイト１２は、シート状部材６の周縁部１１全周に沿って設けられたチェーン等のリング状でかつ可撓性を有するもので構成し、敷設時に、堆積土砂８の表面形状に応じて変形して、シート状部材６の周縁部１１をウエイト１２の自重で堆積土砂８に押しつけるものがよい。
【００３１】
なお、ウエイト１２の例として、チェーンをリング状にしたものを説明したが、本発明は、これに限られるものではなく、シート状部材６の周縁部１１に沿って間隔を置いて複数の錘を取り付けて構成してもよい。
【００３２】
このシート状部材６の中央には、土砂移送穴（図示せず）が形成されいる。この土砂移送穴には、堆積土砂８を裏面部と上部との間で移送させるための土砂移送管７が接続されている。土砂移送管７は、その端部開口１４がシート状部材６の土砂移送穴を通して、シート状部材６の表面部から裏面部の水底５に臨むように接続される。
【００３３】
土砂移送管７は、可撓性のある樹脂管からなり、その直径は、排砂効率を考慮して大きいものが好ましいが、作業性を考慮して約３００〜６００ｍｍ程度のものが好ましい。なお、土砂移送管７は、樹脂管だけでなく一部鋼管を使用してもよい。
【００３４】
この土砂移送管７の接続は、シート状部材６の敷設前に、予め接続しても、敷設後に接続しても何れでもよい。シート状部材６と土砂移送管７の接続は、土砂移送管７の先端にフランジ（図示せず）を形成しておき、またシート状部材６の土砂移送穴に予めフランジを取り付ける受け座（図示せず）を形成し、フランジをシート状部材６の受け座の上側に設置して、ボルト・ナットなどにより接続する。
【００３５】
フランジには、台船９に設けられたウインチ２１から延びる吊り下げワイヤ２２が接続されている。ウインチ２１は、吊り下げワイヤ２２を巻き付けることで土砂移送管７を上昇させ、吊り下げワイヤ２２を繰り出すことで土砂移送管７を下降させる。ウインチ２１は、シート状部材６の裏面部の堆積土砂８の集積量に応じて土砂移送管７を昇降させるようになっている。
【００３６】
土砂移送管７は、台船９上に設けられた切替弁１５に接続されている、切替弁１５には、堆積土砂８の浚渫を行う浚渫装置１６側より延びる上流側土砂移送管１７と、ダム堤体２の下流側まで延出する下流側土砂移送管１８とが接続されており、切替弁１５は、土砂移送管７を、上流側土砂移送管１７と下流側土砂移送管１８とに切替自在に接続するようになっている。
【００３７】
下流側土砂移送管１８には、例えば台船９或いはダム堤体２上（本実施の形態では台船９上）に配置したポンプ１９が接続され、そのポンプ１９により堆積土砂８及び水を吸引・圧送するようになっている。
【００３８】
なお、上記実施の形態では土砂移送管７が１本の場合を例に挙げて説明したが、複数本の土砂移送管７をシート状部材６に接続して堆積土砂８の集積及び排砂を行うようにしてもよい。
【００３９】
本実施の形態においては、貯水池１の任意の場所の堆積土砂８を浚渫する浚渫装置１６にも、シート状部材６を用いる。シート状部材６を用いて堆積土砂８を浚渫する方法は、本出願人が特願２００３−６１３８０号及び特願２００３−１２３９２６号にて出願したものと基本的に同等である。
【００４０】
これを具体的に説明すると、堆積土砂８の表面に、これに沿って堆積土砂８を覆うシート状部材６を敷設し、シート状部材６の裏面部より堆積土砂８に排砂管２３の吸引口２４を臨ませて、吸引排砂する。
【００４１】
シート状部材６は、上述のものと略同等の構成となっており、その周縁部１１にも、ウエイト１２が設けられている。排砂管２３は、吊り下げワイヤ２２を介してウインチ２１にて昇降自在に吊り下げられ、排砂による堆積土砂８表面の低下に応じて下降するように構成されている。また、排砂管２３は、堆積土砂８の吸引を行うためのポンプ２５も接続されている。ポンプ２５には、切替弁１５に接続される上流側土砂移送管１７が接続されている。
【００４２】
上記方法によれば、堆積土砂８の表面を覆ってシート状部材６を敷設し、そのシート状部材６の裏面部より堆積土砂８に排砂管２３の吸引口２４を臨ませて、吸引排砂するようにしたので、シート状部材６と堆積土砂８との間に水流を作ることができ、これによる掃流作用で、堆積土砂８を広い範囲から効率的に吸引することができる。
【００４３】
次に、本実施の形態に係る貯水池の排砂方法を説明する。
【００４４】
晴天時等の貯水に流れが発生していない比較的穏やかなときに、浚渫装置１６によって、貯水池の任意の場所、特に、図２の集積場所１０以外の増水時に水流が発生する部分の浚渫を行う。浚渫された堆積土砂８は、上流側土砂移送管１７を通して、切替弁１５まで移送される。
【００４５】
ここで切替弁１５は、上流側土砂移送管１７と土砂移送管７とが連通されるように切り替えられており、堆積土砂８が土砂移送管７を通してシート状部材６の裏面側に移送されて集積される。これと同時に、ウインチ２１にて吊り下げワイヤ２２を巻き上げ、集積される堆積土砂８の高さに応じて、土砂移送管７と共にシート状部材６の中心部を上昇させる。
【００４６】
ところで、浚渫装置１６から流れてくる土砂流は、貯水に対する浚渫された堆積土砂８の比率は５％程度である。土砂移送管７からシート状部材６の裏面部に移送された土砂流は、堆積土砂８が所定の安息角を保持しながら略円錘状に集積すると共に、貯水はシート状部材６の周縁部１１から外側へと流出する。このとき、シート状部材６の周縁部１１にはウエイト１２が設けられているので、堆積土砂８が、シート状部材６の外側へ流出するのを極力抑えることができる。シート状部材６の周縁部１１では、送流水（土砂移送管７からシート状部材６の裏面部に移送された土砂流の水）の流出により若干の濁水が発生するが、この濁水は貯水池１の水底５で発生するだけであるので、貯水池１の表面まで昇ってくる虞は小さい。特に、貯水池１の水面から堆積土砂８を投下するのと比較すれば、濁水の発生は大幅に抑えることができる。
【００４７】
浚渫される堆積土砂８が多い場合には、シート状部材６の裏面部の堆積土砂８が所定量を超えると、浚渫を一旦停止すると共に、土砂移送管７をシート状部材６から取り外し、シート状部材６は、堆積土砂８に被せたままで保持しておく。そして、図２の集積場所１０に別のシート状部材（図示せず）を敷設して、このシート状部材に土砂移送管７を接続し代えて、上述と同様の集積作業を行う。
【００４８】
堆積土砂８の集積作業が終了したならば、各台船９は、集積場所１０上の水域に待機させながら、シート状部材６は、集積された堆積土砂８上に被せたままにしておく。このとき、土砂移送管７とシート状部材６は、接続したままでも取り外しておいてもよい。
【００４９】
雨天等により、貯水が増水して、貯水をダム堤体２の下流側に放流する際に、集積された堆積土砂８を下流側土砂移送管１８を通して、ダム堤体２の下流側へと排出する。
【００５０】
詳しくは台船９をシート状部材６の上部に移動させ、土砂移送管７をシート状部材６に接続すると共に、切替弁１５を、土砂移送管７と下流側土砂移送管１８とが連通されるように切り替える。そして、ポンプ１９を作動させて、シート状部材６の裏面部の堆積土砂８を、土砂移送管７及び下流側土砂移送管１８を通して、ダム堤体２の下流側へと排出する。
【００５１】
このとき、集積場所１０は、増水時でも水流が発生せず、比較的穏やかな場所であるので、台船９上の作業を安定した状態で行うことができると共に、台船９の揺れ等による排砂効率の低下を防止することが出来る。
【００５２】
また、ダム堤体２の下流側の河川では、雨や貯水の放流等により既に濁流が発生しているので、そこに堆積土砂８を排出しても、環境に及ぼす影響は小さい。
【００５３】
さらに、シート状部材６と堆積土砂８との間に水流を作ることができ、これによる掃流作用で、堆積土砂８をシート状部材６すべての広い範囲から効率的に吸引することができる。また、ウインチ２１によって、土砂移送管７を、堆積土砂８の集積量に応じて昇降させているので、シート状部材６の裏面部で水流が効果的に形成され、さらに排砂効率が向上する。
【００５４】
集積された堆積土砂８の排砂が終了したなら、土砂移送管７をシート状部材６から取り外し、シート状部材６は、集積場所１０の水底５に被せたままにしておく。このとき、シート状部材６の周縁部１１には、ウエイト１２が設けられているので、シート状部材６が移動してしまうことはない。なお、シート状部材６が流される可能性がある場合には、錘等を設け、水底５に固定しておくとよい。これによって、次回、堆積土砂８の浚渫を行う際には、シート状部材６の敷設作業を省略することができ、作業時間の大幅な低減が達成される。
【００５５】
本実施の形態では、晴天時等の貯水に流れが発生していない比較的穏やかなときに、貯水池の任意の場所の堆積土砂８の浚渫を行い、増水時でも水流の発生しない集積場所１０に、堆積土砂８を一旦集積しておき、増水時に、集積された堆積土砂８を排砂するようにしたので、天候に左右されずに、貯水池１内の浚渫を行うことができると共に、下流側の河川の環境を悪化させることなく、堆積土砂８を直接下流側に排出することができる。
【００５６】
よって、従来のように、ダム湖の湖岸に堆積土砂８の集積スペースを設けて、ダンプ等にて搬送する必要はないので、浚渫にかかる時間とコストを大幅に低減させることが可能となる。
【００５７】
また、堆積土砂８をダム堤体２の下流側に排出するのに堆積土砂８を浄化させる浄化設備を設ける必要もなく、コストアップを防止できる。
【００５８】
図３は本発明に係る貯水池の排砂装置の好適な第二の実施の形態を示した全体断面図、図４は本発明に係る貯水池の排砂装置の配置状態を示した貯水池の平面図である。
【００５９】
本実施の形態に係る排砂方法は、貯水池１の任意の場所から堆積土砂８を浚渫して、ダム堤体２近傍の水底５に集積させておき、増水時に、ダム堤体２に形成された排砂ゲート３１を通して堆積土砂８を排出することを特徴とする。
【００６０】
図３に示すように、排砂ゲート３１は、ダム堤体２の幅方向略中間部に形成されており、ダム堤体２を貫通して形成された流路３２と、この流路３２の下流側端部に設けられた開閉部３３とを備えて構成されている。流路３２は、その上流側端部の取込口３６が貯水池１の水底５近傍に位置する高さに形成されている。
【００６１】
従来、排砂ゲート３１の設置された貯水池１は多くあるが、排砂ゲート３１を開いても排砂できる範囲は排砂管取込口３６近傍に貯まっていた土砂だけである。また、排砂ゲート３１を開けると再び閉めることができなくなる虞もあり、排砂ゲート３１は余り使用されていなかった。
【００６２】
本形態によれば、排砂ゲート３１の信頼性については別途考慮する必要があるが、排砂可能な範囲に堆積土砂８を移送しておけるので、排砂ゲート３１を有効に使用することができる。
【００６３】
本実施の形態に係る排砂装置には、上記第一の実施の形態で設けられていた下流側土砂移送管１８とポンプ１９が設けられておらず、上流側土砂移送管１７と土砂移送管７とは、開閉弁３４を介して接続されている。シート状部材６は、その周縁部１１の一部が排砂ゲート３１の流路３２の取込口３６の近傍に位置するように敷設されている。
【００６４】
図４に示すように、堆積土砂８が集積される集積場所３５は、排砂ゲート３１が形成されたダム堤体２の中央部近傍に設けられている。
【００６５】
その他の構成については、第一の実施の形態と同様であるので、同じ符号を付して説明を省略する。
【００６６】
晴天時等の貯水に流れが発生していない比較的穏やかなときに、浚渫装置１６によって、貯水池の任意の場所、特に、図４の集積場所３５以外の増水時に水流が発生する部分の浚渫を行う。浚渫された堆積土砂８は、集積場所３５に集積しておく。このとき、堆積土砂８は土砂移送管７によって、水底５まで移送された後にシート状部材６の裏面部に集積されるので、濁水の発生を極力抑えることができる。
【００６７】
そして、増水時にはシート状部材６を引き上げておき、排砂ゲート３１を開いて、集積された堆積土砂８をダム堤体２の下流側に排出する。
【００６８】
また、第一の実施の形態と同様に、雨や貯水の放流等により既に濁流が発生しているダム堤体２の下流側の河川に堆積土砂８を排出するので、環境に及ぼす影響は小さい。
【００６９】
なお、上記第一及び第二の実施の形態では、貯水池の任意の場所の浚渫は、シート状部材６を用いた浚渫装置１６にて行っているが、上記方法に限られるものではない。例えば、従来より行われていたように、台船に首振り可能に設けられた排砂管（図示せず）を用いて浚渫する方法等、他の方法であってもよい。但し、濁水を発生させずに広い範囲の堆積土砂８を効率的に浚渫できる点で、上記浚渫装置１６が優れている。
【図面の簡単な説明】
【００７０】
【図１】本発明に係る貯水池の排砂装置の好適な第一の実施の形態を示した全体断面図である。
【図２】本発明に係る貯水池の排砂装置の配置状態を示した貯水池の平面図である。
【図３】本発明に係る貯水池の排砂装置の好適な第二の実施の形態を示した全体断面図である。
【図４】本発明に係る貯水池の排砂装置の配置状態を示した貯水池の平面図である。
【符号の説明】
【００７１】
１  貯水池
２  ダム堤体
３  越流頂
５  水底
６  シート状部材
７  土砂移送管
８  堆積土砂
１０  集積場所
１６  浚渫装置
１７  上流側土砂移送管
１８  下流側土砂移送管
３１  排砂ゲート
３５  集積場所
３６  取込口
【図１】
2005226403.tif 000003
【図２】
2005226403.tif 000004
【図３】
2005226403.tif 000005
【図４】
2005226403.tif 000006